(57)【要約】【課題】映像信号処理装置において、立体映像に重畳する立体重畳映像を立体映像よりも手前側に視えるように表示する。【解決手段】映像信号処理装置１は、立体映像視差検出部２と、重畳映像視差設定部３と、重畳映像視差付与部４と、映像信号合成処理部５とを備える。立体映像視差検出部２は、左目用立体映像信号及び右目用立体映像信号から、立体映像における視差（立体映像視差）を検出する。重畳映像視差設定部３は、立体映像に重畳する立体重畳映像における視差（重畳映像視差）を、立体映像視差よりも大きい視差に設定する。重畳映像視差付与部４は、設定された重畳映像視差となるように、重畳映像信号から、左目用重畳映像信号及び右目用重畳映像信号を生成する。映像信号合成処理部５は、左目用立体映像信号と左目用重畳映像信号とを合成した左目用合成映像信号、及び右目用立体映像信号と右目用重畳映像信号とを合成した右目用合成映像信号を生成する。【選択図】図２
2013243585.tif 000002
【特許請求の範囲】
【請求項１】
立体映像を表示するための映像信号を処理する映像信号処理装置において、
立体映像に重畳する立体重畳映像における左目用映像と右目用映像との視差を、前記立体映像における左目用映像と右目用映像との視差よりも大きい視差に設定する重畳映像視差設定部を備えることを特徴とする、映像信号処理装置。
【請求項２】
前記立体映像における左目用映像を表示するための左目用立体映像信号及び右目用映像を表示するための右目用立体映像信号から、前記立体映像における左目用映像と右目用映像との視差を検出する立体映像視差検出部をさらに備え、
前記重畳映像視差設定部は、前記立体重畳映像における左目用映像と右目用映像との視差を、前記立体映像視差検出部で検出した前記立体映像における左目用映像と右目用映像との視差よりも大きい視差に設定することを特徴とする、請求項１に記載の映像信号処理装置。
【請求項３】
前記立体映像における左目用映像を表示するための左目用立体映像信号及び右目用映像を表示するための右目用立体映像信号を生成する立体映像視差付与部と、
前記立体映像視差付与部により左目用立体映像信号及び右目用立体映像信号を生成する際の、前記立体映像における左目用映像と右目用映像との視差を決定する立体映像視差決定部とをさらに備え、
前記重畳映像視差設定部は、前記立体重畳映像における左目用映像と右目用映像との視差を、前記立体映像視差決定部で決定した前記立体映像における左目用映像と右目用映像との視差よりも大きい視差に設定することを特徴とする、請求項１に記載の映像信号処理装置。
【請求項４】
前記立体映像視差検出部は、前記立体映像における左目用映像の輪郭と右目用映像の輪郭を抽出し、その輪郭の差分に基いて、前記立体映像における左目用映像と右目用映像との視差を検出することを特徴とする、請求項２に記載の映像信号処理装置。
【請求項５】
前記立体映像視差検出部は、前記立体映像における左目用映像と右目用映像とを引き算し、その引き算の結果が所定値以上連続して正又は負の値となっている区間の幅に基いて、前記立体映像における左目用映像と右目用映像との視差を検出することを特徴とする、請求項２に記載の映像信号処理装置。
【請求項６】
前記立体映像視差検出部は、前記立体映像における左目用映像と右目用映像との間で動きベクトルを検出し、その検出した動きベクトルの示す水平方向の動き量に基いて、前記立体映像における左目用映像と右目用映像との視差を検出することを特徴とする、請求項２に記載の映像信号処理装置。
【請求項７】
前記重畳映像視差設定部は、前記立体重畳映像における左目用映像と右目用映像との視差を、映像表示画面内の前記立体映像における左目用映像と右目用映像との最大視差よりも大きい視差に設定することを特徴とする、請求項１乃至請求項６のいずれか一項に記載の映像信号処理装置。
【請求項８】
前記重畳映像視差設定部は、前記立体映像における左目用映像と右目用映像との最大視差がそれまでの視差から小さくなる場合に、前記立体重畳映像における左目用映像と右目用映像との視差をそれまでの視差から時間の経過につれて徐々に小さくすることを特徴とする、請求項７に記載の映像信号処理装置。
【請求項９】
前記重畳映像視差設定部は、操作部の操作に応じて、前記立体重畳映像における左目用映像と右目用映像との視差を増減することを特徴とする、請求項１乃至請求項８のいずれか一項に記載の映像信号処理装置。
【請求項１０】
前記重畳映像視差設定部は、前記立体重畳映像を複数表示する場合の、これら複数の立体重畳映像の各々についての前記立体重畳映像における左目用映像と右目用映像との視差を、立体重畳映像毎に異なる視差に設定することを特徴とする、請求項１乃至請求項９のいずれか一項に記載の映像信号処理装置。
【請求項１１】
前記重畳映像視差設定部は、操作部の操作に応じて、前記複数の立体重畳映像の各々についての前記立体重畳映像における左目用映像と右目用映像との視差を、それまでの視差から別の視差に切換えることを特徴とする、請求項１０に記載の映像信号処理装置。
【発明の詳細な説明】
【技術分野】
【０００１】
本発明は、例えばテレビジョン受像機やプロジェクタ等の映像表示装置に備えられ、立体映像を表示するための映像信号を処理する映像信号処理装置に関するものである。
【背景技術】
【０００２】
従来から、映像表示装置において、立体映像を表示するものがある。立体映像は、観察者の左目に観察される左目用映像と観察者の右目に観察される右目用映像を表示し、これら左目用映像と右目用映像とに視差を生じさせることにより、観察者に立体的に視せる（3次元的に、奥行き感があるように視せる）映像である。
【０００３】
このような立体映像を表示する映像表示装置において、立体映像に重畳する字幕表示やＯＳＤ表示等の重畳映像についても、左目用映像と右目用映像を表示し、これら重畳映像についての左目用映像と右目用映像とに視差を生じさせることにより、観察者に重畳映像を立体的に視せるようにしたものがある。
【０００４】
一方、映像信号送信側において、重畳映像についての左目用映像と右目用映像との視差を設定し、重畳映像についての左目用映像と右目用映像がこの設定した視差となるように、左目用映像信号及び右目用映像信号を生成して、この左目用映像信号及び右目用映像信号を送信し、映像信号受信側において、受信した左目用映像信号及び右目用映像信号による左目用映像及び右目用映像を表示することにより、重畳映像を立体的に視せるようにした映像信号処理システムが知られている（例えば特許文献１参照）。
【０００５】
また、立体画像中にオブジェクトを重畳する際、オブジェクトを配置する領域の視差に基いて、オブジェクトの透明度を変化させるようにした映像信号処理装置が知られている（例えば特許文献２参照）。
【先行技術文献】
【特許文献】
【０００６】
【特許文献１】国際公開第２０１１／００１８５３号公報
【特許文献２】特許第４６９３９００号公報
【発明の概要】
【発明が解決しようとする課題】
【０００７】
ところで、重畳映像を立体的に視せるように表示する場合、その重畳映像を、観察者に違和感を与えないように表示することが、重要な課題である。
【０００８】
本発明は、上記課題を解決するためになされたものであり、立体映像に重畳する立体重畳映像を立体映像よりも手前側に視えるように表示して、映像観察者に違和感を与えないように重畳映像を表示することができる映像信号処理装置を提供することを目的とする。
【課題を解決するための手段】
【０００９】
上記目的を達成するために請求項１の発明は、立体映像を表示するための映像信号を処理する映像信号処理装置において、立体映像に重畳する立体重畳映像における左目用映像と右目用映像との視差を、立体映像における左目用映像と右目用映像との視差よりも大きい視差に設定する重畳映像視差設定部を備えるものである。
【００１０】
請求項２の発明は、請求項１に記載の映像信号処理装置において、立体映像における左目用映像を表示するための左目用立体映像信号及び右目用映像を表示するための右目用立体映像信号から、立体映像における左目用映像と右目用映像との視差を検出する立体映像視差検出部をさらに備え、重畳映像視差設定部は、立体重畳映像における左目用映像と右目用映像との視差を、立体映像視差検出部で検出した立体映像における左目用映像と右目用映像との視差よりも大きい視差に設定するものである。
【００１１】
請求項３の発明は、請求項１に記載の映像信号処理装置において、立体映像における左目用映像を表示するための左目用立体映像信号及び右目用映像を表示するための右目用立体映像信号を生成する立体映像視差付与部と、立体映像視差付与部により左目用立体映像信号及び右目用立体映像信号を生成する際の、立体映像における左目用映像と右目用映像との視差を決定する立体映像視差決定部とをさらに備え、重畳映像視差設定部は、立体重畳映像における左目用映像と右目用映像との視差を、立体映像視差決定部で決定した立体映像における左目用映像と右目用映像との視差よりも大きい視差に設定するものである。
【００１２】
請求項４の発明は、請求項２に記載の映像信号処理装置において、立体映像視差検出部は、立体映像における左目用映像の輪郭と右目用映像の輪郭を抽出し、その輪郭の差分に基いて、立体映像における左目用映像と右目用映像との視差を検出するものである。
【００１３】
請求項５の発明は、請求項２に記載の映像信号処理装置において、立体映像視差検出部は、立体映像における左目用映像と右目用映像とを引き算し、その引き算の結果が所定値以上連続して正又は負の値となっている区間の幅に基いて、立体映像における左目用映像と右目用映像との視差を検出するものである。
【００１４】
請求項６の発明は、請求項２に記載の映像信号処理装置において、立体映像視差検出部は、立体映像における左目用映像と右目用映像との間で動きベクトルを検出し、その検出した動きベクトルの示す水平方向の動き量に基いて、立体映像における左目用映像と右目用映像との視差を検出するものである。
【００１５】
請求項７の発明は、請求項１乃至請求項６のいずれか一項に記載の映像信号処理装置において、重畳映像視差設定部は、立体重畳映像における左目用映像と右目用映像との視差を、映像表示画面内の立体映像における左目用映像と右目用映像との最大視差よりも大きい視差に設定するものである。
【００１６】
請求項８の発明は、請求項７に記載の映像信号処理装置において、重畳映像視差設定部は、立体映像における左目用映像と右目用映像との最大視差がそれまでの視差から小さくなる場合に、立体重畳映像における左目用映像と右目用映像との視差をそれまでの視差から時間の経過につれて徐々に小さくするものである。
【００１７】
請求項９の発明は、請求項１乃至請求項８のいずれか一項に記載の映像信号処理装置において、重畳映像視差設定部は、操作部の操作に応じて、立体重畳映像における左目用映像と右目用映像との視差を増減するものである。
【００１８】
請求項１０の発明は、請求項１乃至請求項９のいずれか一項に記載の映像信号処理装置において、重畳映像視差設定部は、立体重畳映像を複数表示する場合の、これら複数の立体重畳映像の各々についての立体重畳映像における左目用映像と右目用映像との視差を、立体重畳映像毎に異なる視差に設定するものである。
【００１９】
請求項１１の発明は、請求項１０に記載の映像信号処理装置において、重畳映像視差設定部は、操作部の操作に応じて、複数の立体重畳映像の各々についての立体重畳映像における左目用映像と右目用映像との視差を、それまでの視差から別の視差に切換えるものである。
【発明の効果】
【００２０】
請求項１乃至請求項１１の発明によれば、立体映像に重畳される立体重畳映像における左目用映像と右目用映像は、立体映像における左目用映像と右目用映像との視差よりも大きい視差となるように表示される。従って、立体重畳映像は、立体映像よりも手前側に飛び出して視えるように表示される。これにより、立体重畳映像が立体映像に埋没することを防ぐことができ、映像観察者に違和感を与えないようにすることができる。
【図面の簡単な説明】
【００２１】
【図１】本発明における立体映像について説明する説明図。
【図２】本発明の第１の実施形態に係る映像信号処理装置の概略構成を示す電気的ブロック構成図。
【図３】同映像信号処理装置の立体映像視差検出部における立体映像視差の検出について説明する説明図。
【図４】同映像信号処理装置の重畳映像視差設定部における重畳映像視差の設定について説明するフローチャート。
【図５】同映像信号処理装置の重畳映像視差付与部における左目用重畳映像信号及び右目用重畳映像信号の生成について説明する説明図。
【図６】本発明の第２の実施形態に係る映像信号処理装置の概略構成を示す電気的ブロック構成図。
【図７】本発明の第３の実施形態に係る映像信号処理装置の要部構成を示す電気的ブロック構成図。
【図８】本発明の第４の実施形態に係る映像信号処理装置の要部構成を示す電気的ブロック構成図。
【発明を実施するための形態】
【００２２】
以下、本発明を具体化した実施形態による映像信号処理装置について図面を参照して説明する。
【００２３】
以下、本発明を具体化した実施形態による映像信号処理装置について図面を参照して説明する。本発明の映像信号処理装置は、例えばテレビジョン受像機やプロジェクタ等の映像表示装置に備えられ、液晶パネルや投影スクリーンなどの映像表示面に立体映像（３Ｄ映像）を表示するための映像信号を処理する装置である。
【００２４】
まず、立体映像について図１を参照して説明する。立体映像は、観察者７０の左目７０Ｌに観察される左目用映像８０Ｌと観察者７０の右目７０Ｒに観察される右目用映像８０Ｒを映像表示面９０に表示し、これら左目用映像８０Ｌと右目用映像８０Ｒとに視差Ｚを生じさせることにより、観察者７０に立体的に視せる（３次元的に、奥行き感があるように視せる）映像である。立体映像は、左目用映像８０Ｌと右目用映像８０Ｒとを重ねた映像８０と捉えることができる。図示の例では、左目用映像８０Ｌによって左目用映像表示物８１Ｌが表示され、右目用映像８０Ｒによって右目用映像表示物８１Ｒが表示されており、観察者７０は、左目用映像表示物８１Ｌ及び右目用映像表示物８１Ｒを立体視映像表示物８１として（３次元的に、奥行き感があるように）観察する。
【００２５】
左目用映像８０Ｌと右目用映像８０Ｒとの視差Ｚは、左目用映像８０Ｌによる左目用映像表示物８１Ｌの表示位置と、右目用映像８０Ｒによる右目用映像表示物８１Ｒの表示位置との水平方向（左右方向）の差である。左目用映像表示物８１Ｌが右目用映像表示物８１Ｒよりも右側にある場合、左目用映像８０Ｌと右目用映像８０Ｒとの視差Ｚを正とし、左目用映像表示物８１Ｌが右目用映像表示物８１Ｒよりも左側にある場合、左目用映像８０Ｌと右目用映像８０との視差Ｚを負とする。
【００２６】
従って、左目用映像８０Ｌと右目用映像８０Ｒとの視差Ｚが正のとき（左目用映像表示物８１Ｌが右目用映像表示物８１Ｒよりも右側にあるとき）、観察者７０は、立体視映像表示物８１が映像表示面９０より手前側にあるように（飛び出して視えるように）観察する。また、左目用映像８０Ｌと右目用映像８０Ｒとの視差Ｚが負のとき（左目用映像表示物８１Ｌが右目用映像表示物８１Ｒよりも左側にあるとき）、観察者７０は、立体視映像表示物８１が映像表示面９０より奥側にあるように観察する。左目用映像８０Ｌと右目用映像８０Ｒとの視差Ｚが０のときには、観察者７０は、立体視映像表示物８１が映像表示面９０上にあるように観察する。そして、左目用映像８０Ｌと右目用映像８０Ｒとの視差Ｚが大きいほど、観察者７０は、立体視映像表示物８１が映像表示面９０より手前側にあるように観察する。
【００２７】
＜第１の実施形態＞
まず、第１の実施形態による映像信号処理装置について説明する。図２は、第１の実施形態による映像信号処理装置の構成を示す。映像信号処理装置１は、立体映像視差検出部２と、重畳映像視差設定部３と、重畳映像視差付与部４と、映像信号合成処理部５とを備える。
【００２８】
立体映像視差検出部２は、左目用立体映像信号及び右目用立体映像信号から、それら左目用立体映像信号及び右目用立体映像信号による立体映像における左目用映像と右目用映像との視差（左目用立体映像信号により表示される左目用映像と、右目用立体映像信号により表示される右目用映像との視差）を検出する。左目用立体映像信号とは、立体映像における左目用映像を表示するための映像信号である。右目用立体映像信号とは、立体映像における右目用映像を表示するための映像信号である。
【００２９】
すなわち、立体映像視差検出部２は、不図示の映像信号供給部（例えばチューナ）から、左目用立体映像信号及び右目用立体映像信号が入力される。そして、立体映像視差検出部２は、それら入力される左目用立体映像信号及び右目用立体映像信号から、それら入力される左目用立体映像信号及び右目用立体映像信号による立体映像における左目用映像と右目用映像との視差を検出する。立体映像視差検出部２に入力される左目用立体映像信号及び右目用立体映像信号による立体映像における左目用映像と右目用映像との視差（立体映像視差検出部２で検出する視差）を、立体映像視差と呼ぶ。
【００３０】
重畳映像視差設定部３は、立体映像視差検出部２で検出した立体映像視差に基いて、立体重畳映像における左目用映像と右目用映像との視差を設定する。立体重畳映像とは、字幕表示やＯＳＤ表示等の重畳映像についての立体映像である。すなわち、立体重畳映像とは、立体映像に重畳する重畳映像であって、立体的に視させるようにした重畳映像である。つまり、立体重畳映像は、重畳映像について、左目用映像と右目用映像を表示し、これら重畳映像についての左目用映像と右目用映像とに視差を生じさせることにより、観察者に立体的に視せるようにした重畳映像である。立体重畳映像における左目用映像と右目用映像との視差（重畳映像についての左目用映像と右目用映像との視差）を、重畳映像視差と呼ぶ。重畳映像視差設定部３は、立体映像視差検出部２で検出した立体映像視差に基いて、重畳映像視差を、立体映像視差検出部２で検出した立体映像視差よりも大きい視差に設定する。
【００３１】
重畳映像視差付与部４は、重畳映像信号から、重畳映像視差設定部３で設定された重畳映像視差となるように、左目用重畳映像信号及び右目用重畳映像信号を生成する。重畳映像信号とは、重畳映像を表示するための映像信号である。左目用重畳映像信号とは、立体重畳映像における左目用映像を表示するための映像信号である。右目用重畳映像信号とは、立体重畳映像における右目用映像を表示するための映像信号である。
【００３２】
すなわち、重畳映像視差付与部４は、不図示の重畳映像信号供給部（例えばチューナやＯＳＤ処理部）から、重畳映像信号が入力される。そして、重畳映像視差付与部４は、その入力された重畳映像信号から、重畳映像視差設定部３で設定された重畳映像視差となるように、左目用重畳映像信号及び右目用重畳映像信号を生成する。
【００３３】
映像信号合成処理部５は、左目用立体映像信号と左目用重畳映像信号から、左目用合成映像信号を生成し、右目用立体映像信号と右目用重畳映像信号から、右目用合成映像信号を生成する。左目用合成映像信号とは、左目用立体映像信号と左目用重畳映像信号とを合成した映像信号であって、左目用立体映像信号による左目用映像と左目用重畳映像信号による左目用映像とを合成した映像を表示するための映像信号である。右目用合成映像信号とは、右目用立体映像信号と右目用重畳映像信号とを合成した映像信号であって、右目用立体映像信号による右目用映像と右目用重畳映像信号による右目用映像とを合成した映像を表示するための映像信号である。
【００３４】
すなわち、映像信号合成処理部５は、不図示の映像信号供給部から、立体映像視差検出部２に入力されるのと同じ左目用立体映像信号及び右目用立体映像信号が入力され、重畳映像視差付与部４から、重畳映像視差付与部４で生成された左目用重畳映像信号及び右目用重畳映像信号が入力される。そして、映像信号合成処理部５は、入力される左目用立体映像信号と左目用重畳映像信号から、左目用合成映像信号を生成し、入力される右目用立体映像信号と右目用重畳映像信号から、右目用合成映像信号を生成する。
【００３５】
映像信号合成処理部５により生成された左目用合成映像信号及び右目用合成映像信号は、不図示の映像表示処理部に供給され、映像信号合成処理部５により生成された左目用合成映像信号及び右目用合成映像信号による立体映像（左目用映像及び右目用映像）が、液晶パネルや投影スクリーンなどの映像表示面に表示される。
【００３６】
次に、立体映像視差検出部２における立体映像視差の検出について、図３を参照して、説明する。立体映像視差検出部２は、左目用立体映像信号及び右目用立体映像信号による立体映像における左目用映像の輪郭と右目用映像の輪郭を抽出し、その輪郭の差分に基いて、立体映像視差を検出する。
【００３７】
すなわち、立体映像視差検出部２は、左目用立体映像信号を解析することにより、その左目用立体映像信号による左目用映像２０Ｌ内の左目用映像表示物２１Ｌを抽出し、その左目用映像表示物２１Ｌの輪郭２２Ｌを抽出する（図３（ａ））。また、立体映像視差検出部２は、右目用立体映像信号を解析することにより、その右目用立体映像信号による右目用映像２０Ｒ内の右目用映像表示物２１Ｒを抽出し、その右目用映像表示物２１Ｒの輪郭２２Ｒを抽出する（図３（ｂ））。
【００３８】
そして、立体映像視差検出部２は、左目用映像表示物２１Ｌの輪郭２２Ｌと右目用映像表示物２１Ｒの輪郭２２Ｒとの差分Ｙを算出する（図３（ｃ））。つまり、立体映像視差検出部２は、左目用映像表示物２１Ｌの輪郭２２Ｌと右目用映像表示物２１Ｒの輪郭２２Ｒとの水平方向（左右方向）のずれ量を、左目用映像表示物２１Ｌの輪郭２２Ｌと右目用映像表示物２１Ｒの輪郭２２Ｒとの差分Ｙとして算出する。このとき、立体映像視差検出部２は、映像表示物２１Ｌの輪郭２２Ｌが映像表示物２１Ｒの輪郭２２Ｒよりも右側にある場合、左目用映像表示物２１Ｌの輪郭２２Ｌと右目用映像表示物２１Ｒの輪郭２２Ｒとの差分Ｙを正とし、映像表示物２１Ｌの輪郭２２Ｌが映像表示物２１Ｒの輪郭２２Ｒよりも左側にある場合、左目用映像表示物２１Ｌの輪郭２２Ｌと右目用映像表示物２１Ｒの輪郭２２Ｒとの差分Ｙを負とする。
【００３９】
左目用映像表示物２１Ｌの輪郭２２Ｌと右目用映像表示物２１Ｒの輪郭２２Ｒとの差分Ｙは、左目用映像表示物２１Ｌの表示位置と右目用映像表示物２１Ｒの表示位置との水平方向（左右方向）の差に相当し、左目用映像２０Ｌと右目用映像２０Ｒとの視差に相当する。すなわち、左目用映像表示物２１Ｌの輪郭２２Ｌと右目用映像表示物２１Ｒの輪郭２２Ｒとの差分Ｙは、立体映像視差に相当する。従って、立体映像視差検出部２は、左目用映像表示物２１Ｌの輪郭２２Ｌと右目用映像表示物２１Ｒの輪郭２２Ｒとの差分Ｙを、立体映像視差として検出する。立体映像視差検出部２は、このようにして立体映像視差を検出する。
【００４０】
立体映像視差検出部２は、１映像表示画面毎（１画面時間毎）に立体映像視差を検出する。また、立体映像視差検出部２は、１映像表示画面内に複数の映像表示物が存在する場合には、それら各映像表示物についての立体映像視差を検出する。すなわち、立体映像視差検出部２は、１映像表示画面内に複数の映像表示物が存在する場合には、それら複数の映像表示物に対応して、複数の立体映像視差を検出する。
【００４１】
次に、重畳映像視差設定部３における重畳映像視差の設定について、図４を参照して説明する。重畳映像視差設定部３は、重畳映像視差を、１映像表示画面（１画面時間）内の立体映像視差の最大視差よりも大きい視差に設定する。また、重畳映像視差設定部３は、立体映像視差の最大視差がそれまでの視差から小さくなる場合に、重畳映像視差をそれまでの視差から時間の経過につれて徐々に小さくする。つまり、重畳映像視差を、時間的なフィルタリング処理を施して、それまでの重畳映像視差よりも小さくする。
【００４２】
すなわち、重畳映像視差設定部３は、まず、立体映像視差検出部２で検出した立体映像視差のうち、今回の映像表示画面内の最大視差を検出する（＃１）。つまり、重畳映像視差設定部３は、立体映像視差検出部２が今回の映像表示画面内で１つの立体映像視差（１つの映像表示物についての立体映像視差）を検出した場合には、その立体映像視差を今回の映像表示画面内の最大視差とする。また、重畳映像視差設定部３は、立体映像視差検出部２が今回の映像表示画面内で２つ以上の立体映像視差（２つ以上の映像表示物についての立体映像視差）を検出した場合には、それら２つ以上の立体映像視差のうちの最大のものを今回の映像表示画面内の最大視差とする。そして、重畳映像視差設定部３は、今回検出した最大視差を保持する（＃２）。
【００４３】
続いて、今回検出した最大視差が、前回設定した基準視差以上であれば（＃３でＹＥＳ）、重畳映像視差設定部３は、今回検出した最大視差を、今回の基準視差として設定する（＃４）。
【００４４】
一方、今回検出した最大視差が、前回設定した基準視差よりも小さければ（＃３でＮＯ）、重畳映像視差設定部３は、前回設定した基準視差と今回検出した最大視差の間の視差（前回設定した基準視差よりも小さく、今回検出した最大視差よりも大きい視差）を、今回の基準視差として設定する（＃５）。このとき、重畳映像視差設定部３は、例えば、前回設定した基準視差から、前回設定した基準視差と今回検出した最大視差の差分の１／２を減算した視差を、今回の基準視差として設定する。
【００４５】
そして、重畳映像視差設定部３は、基準視差＋ε（εは、予め定められた値であって、０＜ε）、すなわち、基準視差よりもεだけ大きい視差を、重畳映像視差として設定する（＃６）。基準視差は、今回検出した最大視差と同じ（＃４経由）か、又は、今回検出した最大視差よりも大きい（＃５経由）ので、基準視差＋εである重畳映像視差は、今回検出した最大視差よりも大きい視差である。また、立体映像視差の最大視差がそれまでの視差から小さくなった場合、それ以降、＃５の処理を経由して＃１〜＃６の処理が繰り返されることにより、重畳映像視差がそれまでの視差から時間の経過につれて徐々に小さくなる。重畳映像視差設定部３は、このようにして重畳映像視差を設定する。
【００４６】
次に、重畳映像視差付与部４における左目用重畳映像信号及び右目用重畳映像信号の生成について、図５を参照して説明する。重畳映像視差付与部４は、重畳映像視差設定部３で設定された重畳映像視差を、ある割合で立体重畳映像における左目用映像と右目用映像に振り分けて、左目用重畳映像信号及び右目用重畳映像信号を生成する。
【００４７】
すなわち、重畳映像視差付与部４は、重畳映像視差をＸとし、重畳映像信号から、左目用重畳映像の右へのシフト量をＸ−αとした左目用重畳映像信号、及び右目用重畳映像の左へのシフト量をＸ−βとした右目用重畳映像信号を生成する。左目用重畳映像の右へのシフト量とは、元の重畳映像の表示位置（重畳映像信号による映像をそのまま表示したときの重畳映像の表示位置）に対する、左目用重畳映像の表示位置であり、右目用重畳映像の左へのシフト量とは、元の重畳映像の表示位置に対する、右目用重畳映像の表示位置である。α、βは、Ｘ＝α＋βを満たす値であり、左目用重畳映像の右へのシフト量Ｘ−αと右目用重畳映像の左へのシフト量Ｘ−βとを足し合わせた量が、重畳映像視差Ｘである。本実施形態では、α＝０．５×Ｘ、β＝０．５×Ｘとしている。
【００４８】
つまり、重畳映像視差付与部４は、左目用重畳映像の右へのシフト量がＸ−αとなり、右目用重畳映像の左へのシフト量がＸ−βとなるように、重畳映像信号から、左目用重畳映像信号、及び右目用重畳映像信号を生成する。重畳映像視差付与部４は、このようにして左目用重畳映像信号及び右目用重畳映像信号を生成する。
【００４９】
本実施形態の映像信号処理装置１によれば、立体映像に重畳される立体重畳映像における左目用映像と右目用映像は、立体映像における左目用映像と右目用映像との視差よりも大きい視差となるように表示される。従って、立体重畳映像は、立体映像よりも手前側に飛び出して視えるように表示される。これにより、立体重畳映像が立体映像に埋没することを防ぐことができ、映像観察者に違和感を与えないようにすることができる。
【００５０】
＜第２の実施形態＞
次に、第２の実施形態による映像信号処理装置について説明する。図６は、第２の実施形態による映像信号処理装置の構成を示す。映像信号処理装置１は、立体映像視差付与部７と、立体映像視差決定部８と、重畳映像視差設定部３と、重畳映像視差付与部４と、映像信号合成処理部５とを備える。
【００５１】
立体映像視差付与部７は、２Ｄ映像信号（２Ｄ映像を表示するための映像信号）から、左目用立体映像信号及び右目用立体映像信号を生成する。すなわち、立体映像視差付与部７は、不図示の映像信号供給部（例えばチューナ）から、２Ｄ映像信号が入力される。そして、立体映像視差付与部７は、その入力された映像信号から、左目用立体映像信号及び右目用立体映像信号を生成する。
【００５２】
立体映像視差決定部８は、２Ｄ映像信号に基いて、立体映像視差付与部７により２Ｄ映像信号から左目用立体映像信号及び右目用立体映像信号を生成する際の、それら左目用立体映像信号及び右目用立体映像信号による立体映像における左目用映像と右目用映像との視差（立体映像視差付与部７により生成した左目用立体映像信号により表示される左目用映像と、立体映像視差付与部７により生成した右目用立体映像信号により表示される右目用映像との視差）を決定する。
【００５３】
すなわち、立体映像視差決定部８は、不図示の映像信号供給部から、２Ｄ映像信号（立体映像視差付与部７に入力されるのと同じ映像信号）が入力される。そして、立体映像視差決定部８は、その入力された２Ｄ映像信号に基いて、立体映像視差付与部７により２Ｄ映像信号から左目用立体映像信号及び右目用立体映像信号を生成する際の、それら左目用立体映像信号及び右目用立体映像信号による立体映像における左目用映像と右目用映像との視差を決定する。立体映像視差付与部７で生成される左目用立体映像信号及び右目用立体映像信号による立体映像における左目用映像と右目用映像との視差（立体映像視差決定部８により決定される視差）を、立体映像視差と呼ぶ。
【００５４】
立体映像視差決定部８は、入力された映像信号を解析し、例えば、動きのある映像表示物や、動きのある映像表示物の動きの速さを検出して、動きのある映像表示物に視差を生じさせるように、また、動きの速い映像表示物ほど大きい視差を生じさせるように、立体映像視差を決定する。立体映像視差付与部７は、この立体映像視差決定部８で決定した立体映像視差となるように、入力された２Ｄ映像信号から、左目用立体映像信号及び右目用立体映像信号を生成する。
【００５５】
重畳映像視差設定部３は、上記第１の実施形態とは異なり、立体映像視差決定部８で決定した立体映像視差に基いて、重畳映像視差を、立体映像視差決定部８で決定した立体映像視差よりも大きい視差に設定する。
【００５６】
重畳映像視差付与部４は、上記第１の実施形態と同様に、重畳映像視差設定部３で設定された重畳映像視差となるように、重畳映像信号から、左目用重畳映像信号及び右目用重畳映像信号を生成する。
【００５７】
映像信号合成処理部５は、上記第１の実施形態とは異なり、立体映像視差付与部７から、立体映像視差付与部７で生成された左目用立体映像信号及び右目用立体映像信号が入力され、重畳映像視差付与部４から、重畳映像視差付与部４で生成された左目用重畳映像信号及び右目用重畳映像信号が入力される。そして、映像信号合成処理部５は、入力された左目用立体映像信号と左目用重畳映像信号から、左目用合成映像信号を生成し、入力される右目用立体映像信号と右目用重畳映像信号から、右目用合成映像信号を生成する。
【００５８】
映像信号合成処理部５により生成された左目用合成映像信号及び右目用合成映像信号は、上記第１の実施形態と同様に、不図示の映像表示処理部に供給され、映像信号合成処理部５により生成された左目用合成映像信号及び右目用合成映像信号による立体映像（左目用映像及び右目用映像）が、液晶パネルや投影スクリーンなどの映像表示面に表示される。
【００５９】
本実施形態の映像信号処理装置１によれば、上記第1の実施形態と同様に、立体重畳映像は、立体映像よりも手前側に飛び出して視えるように表示され、立体重畳映像が立体映像に埋没することを防ぐことができ、映像観察者に違和感を与えないようにすることができる。
【００６０】
＜第３の実施形態＞
次に、第３の実施形態による映像信号処理装置について説明する。図７は、第３の実施形態による映像信号処理装置の要部の構成を示す。本実施形態の映像信号処理装置１は、重畳映像視差設定部３の構成が、上記第１の実施形態又は上記第２の実施形態と異なっている。本実施形態における他の構成については、上記第１の実施形態又は上記第２の実施形態と同様である。
【００６１】
本実施形態では、重畳映像視差設定部３は、重畳映像視差を立体映像視差よりも大きい視差（１映像表示画面内の立体映像視差の最大視差よりも大きい視差）に設定することに加え、不図示の操作部（例えば映像観察者により操作されるリモコン）の操作に応じて、重畳映像視差を増減する。
【００６２】
すなわち、重畳映像視差設定部３は、操作部の操作に応じて、重畳映像視差を増減することを示す視差調整信号が入力される。つまり、重畳映像視差設定部３は、操作部により重畳映像視差を増加させる操作（例えば、リモコンの「＋」キーを押す操作）をする度に、その操作を示す信号が重畳映像視差を増加させることを示す視差調整信号として入力される。また、重畳映像視差設定部３は、操作部により重畳映像視差を減少させる操作（例えば、リモコンの「−」キーを押す操作）をする度に、その操作を示す信号が重畳映像視差を減少させることを示す視差調整信号として入力される。
【００６３】
そして、重畳映像視差設定部３は、その入力された視差調整信号に応じて、上記図４の＃６におけるεの値を０＜εの範囲で増減させる。εの値が増加することにより、重畳映像視差が増加し、εの値が減少することにより、重畳映像視差が減少する。つまり、重畳映像視差設定部３は、重畳映像視差を増加させることを示す視差調整信号が入力される度に（操作部により重畳映像視差を増加させる操作をする度に）、εの値を所定値Δだけ増加させる。また、重畳映像視差設定部３は、重畳映像視差を減少させることを示す視差調整信号が入力される度に（操作部により重畳映像視差を減少させる操作をする度に）、εの値を所定値Δだけ減少させる（但し、０＜εの範囲）。
【００６４】
重畳映像視差付与部４は、上記第１の実施形態又は上記第２の実施形態と同様に、重畳映像視差設定部３で設定された重畳映像視差となるように、重畳映像信号から、左目用重畳映像信号及び右目用重畳映像信号を生成する。
【００６５】
映像信号合成処理部５は、上記第１の実施形態又は上記第２の実施形態と同様に、入力された左目用立体映像信号と左目用重畳映像信号から、左目用合成映像信号を生成し、入力される右目用立体映像信号と右目用重畳映像信号から、右目用合成映像信号を生成する。
【００６６】
映像信号合成処理部５により生成された左目用合成映像信号及び右目用合成映像信号は、上記第１の実施形態又は上記第２の実施形態と同様に、不図示の映像表示処理部に供給され、映像信号合成処理部５により生成された左目用合成映像信号及び右目用合成映像信号による立体映像（左目用映像及び右目用映像）が、液晶パネルや投影スクリーンなどの映像表示面に表示される。
【００６７】
本実施形態の映像信号処理装置１によれば、上記第1の実施形態又は上記第２の実施形態と同様に、立体重畳映像は、立体映像よりも手前側に飛び出して視えるように表示され、立体重畳映像が立体映像に埋没することを防ぐことができ、映像観察者に違和感を与えないようにすることができる。
【００６８】
しかも、本実施形態の映像信号処理装置１によれば、操作部により重畳映像視差を増減させる操作をすると、重畳映像視差が調整され、立体重畳映像が立体映像よりも手前側に飛び出して視える度合いが調整される。従って、映像観察者は、操作部を操作することにより、立体重畳映像が立体映像よりも手前側に飛び出して視える度合いを任意に調整することができる。
【００６９】
＜第４の実施形態＞
次に、第４の実施形態による映像信号処理装置について説明する。図８は、第４の実施形態による映像信号処理装置の要部の構成を示す。本実施形態の映像信号処理装置１は、重畳映像視差設定部３及び重畳映像視差付与部４の構成が、上記第１の実施形態又は上記第２の実施形態と異なっている。本実施形態における他の構成については、上記第１の実施形態又は上記第２の実施形態と同様である。
【００７０】
本実施形態では、重畳映像視差設定部３は、重畳映像視差を立体映像視差よりも大きい視差（１映像表示画面内の立体映像視差の最大視差よりも大きい視差）に設定することに加え、立体重畳映像を複数表示する場合の、これら複数の立体重畳映像の各々についての重畳映像視差を、立体重畳映像毎に異なる（互いに他の立体重畳映像と異なる）視差に設定する。
【００７１】
すなわち、重畳映像視差設定部３は、上記図４の＃６において、基準視差＋εｉ（ｉ＝１、２、・・・、ｎ）（０＜ε１、ε２、・・・、εｎ；ε１≠ε２≠・・・≠εｎ）を重畳映像視差Ｘｉとして設定する。つまり、重畳映像視差設定部３は、基準視差＋ε１を重畳映像視差Ｘ１とし、基準視差＋ε２を重畳映像視差Ｘ２とし、・・・、基準視差＋εｎを重畳映像視差Ｘｎとして、複数の異なる重畳映像視差Ｘ１、Ｘ２、・・・、Ｘｎ（Ｘ１≠Ｘ２≠・・・≠Ｘｎ）を設定する。
【００７２】
ここで、重畳映像視差Ｘｉは、ｉ番目に表示される立体重畳映像を第ｉの立体重畳映像とすると、第ｉの立体重畳映像に対して設定する重畳映像視差である。なお、１番目に表示される第１の立体重畳映像とは、立体重畳映像が１個も表示されていない状態から、最初に表示される立体重畳映像のことであり、２番目に表示される第２の立体重畳映像とは、立体重畳映像が１個だけ表示されている状態から、さらに表示される立体重畳映像のことであり、・・・、ｎ番目に表示される第ｎの立体重畳映像とは、立体重畳映像がｎ−１個だけ表示されている状態から、さらに表示される立体重畳映像のことである。
【００７３】
すなわち、重畳映像視差設定部３は、１番目に表示される第１の立体重畳映像に対して、重畳映像視差Ｘ１＝基準視差＋ε１を設定し、２番目に表示される第２の立体重畳映像に対して、重畳映像視差Ｘ２＝基準視差＋ε２を設定し、・・・、ｎ番目に表示される第ｎの立体重畳映像に対して、重畳映像視差Ｘｎ＝基準視差＋εｎを設定する。
【００７４】
重畳映像視差付与部４は、重畳映像信号を解析することにより、重畳映像信号により表示される個々の立体重畳映像を検出し、また、それら個々の立体重畳映像の表示位置や、表示される立体重畳映像の個数、表示される立体重畳映像の個数の変化などを検出する。そして、重畳映像視差付与部４は、その検出結果に基いて、第ｉの立体重畳映像の視差が重畳映像視差設定部３で設定された重畳映像視差Ｘｉとなるように、重畳映像信号から、左目用重畳映像信号及び右目用重畳映像信号を生成する。つまり、重畳映像視差付与部４は、第ｉの立体重畳映像に対して、左目用重畳映像の右へのシフト量がＸｉ−αとなり、右目用重畳映像の左へのシフト量がＸｉ−βとなるように、重畳映像信号から、左目用重畳映像信号、及び右目用重畳映像信号を生成する。
【００７５】
すなわち、重畳映像視差付与部４は、第１の立体重畳映像に対して、左目用重畳映像の右へのシフト量がＸ１−αとなり、右目用重畳映像の左へのシフト量がＸ１−βとなり、第２の立体重畳映像に対して、左目用重畳映像の右へのシフト量がＸ２−αとなり、右目用重畳映像の左へのシフト量がＸ２−βとなり、・・・、第ｎの立体重畳映像に対して、左目用重畳映像の右へのシフト量がＸｎ−αとなり、右目用重畳映像の左へのシフト量がＸｎ−βとなるように、重畳映像信号から、左目用重畳映像信号、及び右目用重畳映像信号を生成する。
【００７６】
また、重畳映像視差付与部４は、重畳映像信号の解析結果（表示される立体重畳映像の個数や、表示される立体重畳映像の個数の変化の検出結果）に基いて、表示される立体重畳映像の個数や、表示される立体重畳映像の個数の変化を示す重畳映像情報を重畳映像視差設定部３に入力する。
【００７７】
重畳映像視差設定部３は、初期の状態（例えば出荷時）において、ε１の値をε１＝ｃ１に設定し、ε２の値をε２＝ｃ２に設定し、・・・、εｎの値をεｎ＝ｃｎに設定している。ここで、ｃ１、ｃ２、・・・、ｃｎは、予め定められた値であって、０＜ｃ１＜ｃ２＜・・・＜ｃｎである。従って、重畳映像視差設定部３は、初期の状態で立体重畳映像を表示するときには、複数の立体重畳映像（第１〜第ｎの立体重畳映像）の各々についての重畳映像視差Ｘ１、Ｘ２、・・・、Ｘｎを、重畳映像視差Ｘ１＝基準視差＋ｃ１と設定し、重畳映像視差Ｘ２＝基準視差＋ｃ２と設定し、・・・、重畳映像視差Ｘｎ＝基準視差＋ｃｎと設定（Ｘ１＜Ｘ２＜・・・＜Ｘｎと設定）することになる。
【００７８】
また、重畳映像視差設定部３は、立体重畳映像が表示されている場合、不図示の操作部（例えば映像観察者により操作されるリモコン）の操作に応じて、複数の立体重畳映像の各々についての重畳映像視差Ｘｉを、それまでの視差から別の視差に切換える。
【００７９】
すなわち、重畳映像視差設定部３は、重畳映像視差付与部４から入力される重畳映像情報に基いて、立体重畳映像が表示されているか否か、また、立体重畳映像が表示されている場合には、何個の立体重畳映像が表示されているかを判断する。また、重畳映像視差設定部３は、操作部の操作に応じて、重畳映像視差Ｘｉを切換えることを示す視差切換信号が入力される。つまり、重畳映像視差設定部３は、操作部により重畳映像視差Ｘｉを切換える操作をすると、その操作を示す信号が重畳映像視差Ｘｉを切換えることを示す視差切換信号として入力される。そして、重畳映像視差設定部３は、立体重畳映像が表示されている場合、表示されている立体重畳映像の個数、及び入力された視差切換信号に応じて、εｉの値をそれまでの値から別の値に切換える。εｉの値がそれまでの値から別の値に切換わることにより、重畳映像視差Ｘｉ＝基準視差＋εｉの値がそれまでの視差から別の視差に切換わる。
【００８０】
重畳映像視差設定部３は、例えば、３個の立体重畳映像（第１の立体重畳映像、第２の立体重畳映像、第３の立体重畳映像）が表示されていて、それまでのεｉの値がε１＝ｃ１、ε２＝ｃ２、ε３＝ｃ３であったとすると、ε３の値をε３＝ｃ３からε３＝ｃ２に切換え、ε２の値をε２＝ｃ２からε２＝ｃ３に切換える。すなわち、重畳映像視差設定部３は、重畳映像視差Ｘ３をＸ３＝基準視差＋ｃ３からＸ３＝基準視差＋ｃ２に切換え、重畳映像視差Ｘ２をＸ２＝基準視差＋ｃ２からＸ２＝基準視差＋ｃ３に切換える。従って、この場合、重畳映像視差Ｘｉは、それまでＸ１＜Ｘ２＜Ｘ３であったのが、Ｘ１＜Ｘ３＜Ｘ２に切換わる。
【００８１】
また、重畳映像視差設定部３は、例えば、３個の立体重畳映像（第１の立体重畳映像、第２の立体重畳映像、第３の立体重畳映像）が表示されていて、それまでのεｉの値がε１＝ｃ１、ε２＝ｃ２、ε３＝ｃ３であったとすると、ε３の値をε３＝ｃ３からε３＝ｃ１に切換え、ε２の値をε２＝ｃ２からε２＝ｃ３に切換え、ε１の値をε１＝ｃ１からε１＝ｃ２に切換える。すなわち、重畳映像視差設定部３は、重畳映像視差Ｘ３をＸ３＝基準視差＋ｃ３からＸ３＝基準視差＋ｃ１に切換え、重畳映像視差Ｘ２をＸ２＝基準視差＋ｃ２からＸ２＝基準視差＋ｃ３に切換え、重畳映像視差Ｘ１をＸ１＝基準視差＋ｃ１からＸ１＝基準視差＋ｃ２に切換える。従って、この場合、重畳映像視差Ｘｉは、それまでＸ１＜Ｘ２＜Ｘ３であったのが、Ｘ３＜Ｘ１＜Ｘ２に切換わる。
【００８２】
また、重畳映像視差設定部３は、立体重畳映像が１個以上表示されている状態から１個も表示されない状態になると、複数の立体重畳映像の各々についての重畳映像視差Ｘｉを、初期の視差に戻す。
【００８３】
すなわち、重畳映像視差設定部３は、重畳映像視差付与部４から入力される重畳映像情報に基いて、立体重畳映像が１個以上表示されている状態から１個も表示されない状態になったか否かを判断する。そして、重畳映像視差設定部３は、立体重畳映像が１個以上表示されている状態から１個も表示されない状態になると、εｉの値をそれまでの値から初期の値に戻す。すなわち、重畳映像視差設定部３は、ε１の値をε１＝ｃ１に戻し、ε２の値をε２＝ｃ２に戻し、・・・、εｎの値をεｎ＝ｃｎに戻す。従って、重畳映像視差設定部３は、その後に再び立体重畳映像を表示するときには、重畳映像視差Ｘ１＝基準視差＋ｃ１と設定し、重畳映像視差Ｘ２＝基準視差＋ｃ２と設定し、・・・、重畳映像視差Ｘｎ＝基準視差＋ｃｎと設定（Ｘ１＜Ｘ２＜・・・＜Ｘｎと設定）することになる。
【００８４】
映像信号合成処理部５は、上記第１の実施形態又は上記第２の実施形態と同様に、入力された左目用立体映像信号と左目用重畳映像信号から、左目用合成映像信号を生成し、入力される右目用立体映像信号と右目用重畳映像信号から、右目用合成映像信号を生成する。
【００８５】
映像信号合成処理部５により生成された左目用合成映像信号及び右目用合成映像信号は、上記第１の実施形態又は上記第２の実施形態と同様に、不図示の映像表示処理部に供給され、映像信号合成処理部５により生成された左目用合成映像信号及び右目用合成映像信号による立体映像（左目用映像及び右目用映像）が、液晶パネルや投影スクリーンなどの映像表示面に表示される。
【００８６】
本実施形態の映像信号処理装置１によれば、上記第1の実施形態又は上記第２の実施形態と同様に、立体重畳映像は、立体映像よりも手前側に飛び出して視えるように表示され、立体重畳映像が立体映像に埋没することを防ぐことができ、映像観察者に違和感を与えないようにすることができる。
【００８７】
しかも、本実施形態の映像信号処理装置１によれば、複数の立体重畳映像が表示される場合、それら複数の立体重畳映像に対する重畳映像視差は、互いに他の立体重畳映像と異なる視差に設定される。すなわち、複数の立体重畳映像が表示される場合、それら複数の立体重畳映像は、各々、異なる度合いで手前側に飛び出して視えるように表示される。
【００８８】
このとき、立体重畳映像が１個も表示されていない状態から複数の立体重畳映像が表示される場合には、それら複数の立体重畳映像に対する重畳映像視差は、それら複数の立体重畳映像の表示される順番に小さい視差から大きい視差に設定され、１番新しく表示される立体重畳映像に対する重畳映像視差が一番大きい視差に設定される。すなわち、立体重畳映像が１個も表示されていない状態から複数の立体重畳映像が表示される場合には、それら複数の立体重畳映像は、表示される順番に奥から手前側に視えるように表示され、１番新しく表示される立体重畳映像が一番手前側に視えるように表示される。
【００８９】
また、複数の立体重畳映像が表示されているときに、操作部により重畳映像視差を切換える操作をすると、それら複数の立体重畳映像に対する重畳映像視差が切換えられ、それら複数の立体重畳映像が手前側に視える順番が切換えられる。従って、映像観察者は、複数の立体重畳映像が表示されているときに、操作部を操作することにより、複数の立体重畳映像が手前側に視える順番を任意に切換えることができる。
【００９０】
なお、本発明は、上記各実施形態の構成に限られず、種々の変形が可能である。例えば、立体映像視差検出部は、立体映像における左目用映像と右目用映像とを引き算し、その引き算の結果が所定値以上連続して正又は負の値となっている区間の幅に基いて、立体映像視差を検出するようにしてもよい。すなわち、左目用映像と右目用映像との引き算の結果が所定値以上連続して正又は負の値となっている区間の幅を、立体映像視差として検出するようにしてもよい。また、立体映像視差検出部は、左目用映像と右目用映像との間で動きベクトルを検出し、その検出した動きベクトルの示す水平方向の動き量に基いて、立体映像視差を検出するようにしてもよい。すなわち、左目用映像と右目用映像との間で検出した動きベクトルの示す水平方向の動き量を、立体映像視差として検出するようにしてもよい。
【００９１】
また、立体重畳映像を全ての立体映像よりも奥側に視えるように表示してもよい。この場合、立体重畳視差を、１映像表示画面内の立体映像視差の最小視差よりも小さい視差に設定すればよい。また、この場合、重畳映像を視えるようにするために、立体映像を透過して視えるように表示すればよい。このような構成によれば、立体映像が重畳映像によって遮られることがなく、立体映像が重畳映像によって遮られることを好まないユーザにとって利便性の優れたものとなる。
【符号の説明】
【００９２】
１    映像信号処理装置
２    立体映像視差検出部
３    重畳映像視差設定部
４    重畳映像視差付与部
５    映像信号合成処理部
７    立体映像視差付与部
８    立体映像視差決定部
【図１】
2013243585.tif 000003
【図２】
2013243585.tif 000004
【図３】
2013243585.tif 000005
【図４】
2013243585.tif 000006
【図５】
2013243585.tif 000007
【図６】
2013243585.tif 000008
【図７】
2013243585.tif 000009
【図８】
2013243585.tif 000010